(57)【要約】【課題】バランサのスイングに伴う回転軸の振動を抑制できるとともに、回転軸用軸受に加わる荷重を低減できるスクロール型圧縮機を提供すること。【解決手段】スクロール型圧縮機は、回転軸１４と一体回転するバランサ４０を備える。ブッシュ３６は、スクロール用軸受の内周面に外嵌され、かつ嵌挿孔３６ａが軸線方向に形成された円筒部３７と、円筒部３７より径方向外側に配置された副ウエイト部４３とを備える。嵌挿孔３６ａの位置は、可動スクロール３２に作用する遠心力Ｆａにより発生する偏心軸３５回りのモーメントＭａと、副ウエイト部４３に作用する遠心力Ｆｂにより発生する偏心軸３５回りのモーメントＭｂが、それぞれ逆方向となる位置に設けられる。回転軸１４の軸線方向から見て、ブッシュ３６の重心Ｚは、円筒部３７の中心軸線Ｎと回転軸１４の中心軸線Ｌを結んだ直線Ｔに対し、偏心軸３５の中心軸線Ｍと同じ側に位置する。【選択図】図３
2019183832.tif 000002
【特許請求の範囲】
【請求項１】
回転軸と、
前記回転軸の先端に設けられた偏心軸と、
固定側基板、及び、前記固定側基板から起立した固定側渦巻壁を有する固定スクロールと、
円盤状であって前記固定側基板と対向する可動側基板、前記可動側基板から前記固定側基板に向けて起立し、かつ前記固定側渦巻壁と噛み合う可動側渦巻壁、及び前記可動側基板から前記回転軸に向けて起立するとともに前記可動側基板の中心軸線周りに形成された筒状のボス部を有し、前記回転軸の回転によって流体を圧縮する可動スクロールと、
前記回転軸が挿通された挿通孔を有し、当該挿通孔に前記回転軸を支持するための回転軸用軸受が設けられた軸支部材と、
前記偏心軸が嵌挿された嵌挿孔を有するブッシュと、
前記ボス部の内周面に外嵌されるとともに前記ブッシュの外周面に内嵌されたスクロール用軸受とを有し、
前記可動側基板の中心軸線と前記偏心軸の中心軸線は異なっているスクロール型圧縮機であって、
前記回転軸と一体回転するとともに前記回転軸の中心軸線を挟んで前記偏心軸と反対側に位置する主ウエイト部を有するバランサを備え、
前記ブッシュは、前記スクロール用軸受の内周面に外嵌され、かつ前記嵌挿孔が軸線方向に形成された円筒部と、
前記円筒部より径方向外側に配置された副ウエイト部と、を備え、
前記嵌挿孔は、前記回転軸の回転に伴い前記可動スクロールに作用する遠心力により発生する前記偏心軸回りのモーメントと、前記回転軸の回転に伴い前記副ウエイト部に作用する遠心力により発生する前記偏心軸回りのモーメントが、それぞれ逆方向となる位置に設けられ、
前記回転軸の軸線方向から見て、前記ブッシュの重心は、前記円筒部の中心と前記回転軸の中心を結んだ直線に対し、前記偏心軸の中心と同じ側に位置することを特徴とするスクロール型圧縮機。
【請求項２】
前記回転軸の軸線方向から見て、前記副ウエイト部の重心は、前記円筒部の中心と前記回転軸の中心を結んだ直線に対し、前記偏心軸の中心と同じ側に位置する請求項１に記載のスクロール型圧縮機。
【請求項３】
前記回転軸の軸線方向から見て、前記副ウエイト部の全体は、前記円筒部の中心と前記回転軸の中心を結んだ直線に対し、前記偏心軸の中心と同じ側に位置する請求項２に記載のスクロール型圧縮機。
【請求項４】
前記副ウエイト部は、前記円筒部の径方向に沿って当該円筒部の外周面から延びる肉薄部と、前記肉薄部よりも前記径方向外側に設けられ、かつ前記回転軸の軸線方向に沿う寸法が前記肉薄部よりも大きい肉厚部とを有し、前記回転軸の軸線方向から見て、前記肉厚部の全体が、前記円筒部の中心と前記回転軸の中心を結んだ前記直線に対し、前記偏心軸の中心と同じ側に位置する請求項１〜請求項３のうちいずれか一項に記載のスクロール型圧縮機。
【請求項５】
回転軸と、
前記回転軸の先端に設けられた偏心軸と、
固定側基板、及び、前記固定側基板から起立した固定側渦巻壁を有する固定スクロールと、
円盤状であって前記固定側基板と対向する可動側基板、前記可動側基板から前記固定側基板に向けて起立し、かつ前記固定側渦巻壁と噛み合う可動側渦巻壁、及び前記可動側基板から前記回転軸に向けて起立するとともに前記可動側基板の中心軸線周りに形成された筒状のボス部を有し、前記回転軸の回転によって流体を圧縮する可動スクロールと、
前記回転軸が挿通された挿通孔を有し、当該挿通孔に前記回転軸を支持するための回転軸用軸受が設けられた軸支部材と、
前記偏心軸が嵌挿された嵌挿孔を有するブッシュと、
前記ボス部の内周面に外嵌されるとともに前記ブッシュの外周面に内嵌されたスクロール用軸受とを有し、
前記可動側基板の中心軸線と前記偏心軸の中心軸線は異なっているスクロール型圧縮機であって、
前記回転軸と一体回転するとともに前記回転軸の中心軸線を挟んで前記偏心軸と反対側に位置する主ウエイト部を有するバランサを備え、
前記ブッシュは、前記スクロール用軸受の内周面に外嵌され、かつ前記嵌挿孔が軸線方向に形成された円筒部と、
前記円筒部より径方向外側に配置された副ウエイト部と、を備え、
前記副ウエイト部は、前記円筒部の径方向に沿って当該円筒部の外周面から延びる肉薄部と、前記肉薄部よりも前記径方向外側に設けられ、かつ前記回転軸の軸線方向に沿う寸法が前記肉薄部よりも大きい肉厚部とを有し、前記回転軸の軸線方向から見て、前記肉厚部の全体が、前記偏心軸の中心と前記回転軸の中心を結んだ直線に対し、前記可動側基板の中心とは反対側に位置するスクロール型圧縮機。
【請求項６】
前記肉厚部は、前記円筒部の径方向において少なくとも一部が前記ボス部の外周面と対向するように配置され、前記肉薄部は、前記回転軸の軸線方向における前記スクロール用軸受と前記回転軸との間に配置される請求項４又は請求項５に記載のスクロール型圧縮機。
【請求項７】
前記可動側基板と前記軸支部材との間に前記可動スクロールを前記固定スクロールに向けて押し付けるための流体が導入される背圧室が形成され、前記背圧室に前記主ウエイト部及び前記副ウエイト部が配置されている請求項６に記載のスクロール型圧縮機。
【請求項８】
前記可動スクロールは自転防止機構を備え、前記肉厚部は、前記回転軸の径方向において少なくとも一部が前記自転防止機構よりも内側に配置される請求項６又は請求項７に記載のスクロール型圧縮機。
【発明の詳細な説明】
【技術分野】
【０００１】
本発明は、偏心軸が嵌挿されるブッシュと、回転軸と一体回転するバランサと、を有するスクロール型圧縮機に関する。
【背景技術】
【０００２】
スクロール型圧縮機では、可動スクロールの渦巻壁と固定スクロールの渦巻壁の接触圧を適切に保つために、可動スクロールの公転半径を可変とする機構が採用されている。このような機構としては、回転軸の偏心軸と可動スクロールとの間にブッシュを設けた構造が知られている。ブッシュには、回転軸の一端面に設けられた偏心軸が嵌挿されている。ブッシュには軸受を介して可動スクロールが支持されている。そして、回転軸が回転すると、可動スクロールが偏心軸を中心に公転運動する。このとき、規定範囲内でのブッシュのスイングにより、可動スクロールの公転半径が変化するようになっている。
【０００３】
しかし、可動スクロールの公転運動に伴って発生する遠心力を受けて、ブッシュにおける偏心軸回りにモーメントが発生する。すると、回転軸を支持する軸受に荷重が加わる。回転軸を支持する軸受に加わる荷重を低減するため、例えば、特許文献１に開示されるように、ブッシュにバランサを一体化した構造が提案されている。回転軸が回転すると、バランサ一体型ブッシュが公転運動するが、バランサが遠心力によりスイングすることにより、ブッシュにおける偏心軸回りには、バランサの遠心力によるモーメントが、可動スクロールの遠心力によるモーメントと逆方向に発生する。すると、モーメントが相殺され、回転軸を支持する回転軸用軸受に加わる荷重を低減することができる。
【０００４】
ところが、バランサ一体型ブッシュは、ブッシュがスイングした際、バランサも同時にスイングする。バランサは、ブッシュよりも重量が大きいため、バランサのスイングにより、回転軸の振動が悪化しやすい。そこで、バランサとブッシュとを別体としたスクロール型圧縮機が提案されている（例えば、特許文献２参照）。特許文献２において、バランサは、回転軸に固定され、回転軸と一体回転する。このため、バランサのスイングが無くなるため、回転軸の振動の悪化が抑制される。
【先行技術文献】
【特許文献】
【０００５】
【特許文献１】特開２０１４−１７３４３６号公報
【特許文献２】特開２０１５−６８２４８号公報
【発明の概要】
【発明が解決しようとする課題】
【０００６】
しかし、特許文献２に開示のスクロール型圧縮機においては、バランサをブッシュと別体としているため、可動スクロールに作用する遠心力によるモーメントをバランサによって相殺できず、回転軸を支持する回転軸用軸受に加わる荷重を低減できない。その結果として、回転軸用軸受に加わる荷重に耐え得るべく回転軸用軸受を大型化する必要が生じてしまう。
【０００７】
本発明の目的は、バランサのスイングに伴う回転軸の振動を抑制できるとともに、回転軸用軸受に加わる荷重を低減できるスクロール型圧縮機を提供することにある。
【課題を解決するための手段】
【０００８】
上記問題点を解決するためのスクロール型圧縮機は、回転軸と、前記回転軸の先端に設けられた偏心軸と、固定側基板、及び、前記固定側基板から起立した固定側渦巻壁を有する固定スクロールと、円盤状であって前記固定側基板と対向する可動側基板、前記可動側基板から前記固定側基板に向けて起立し、かつ前記固定側渦巻壁と噛み合う可動側渦巻壁、及び前記可動側基板から前記回転軸に向けて起立するとともに前記可動側基板の中心軸線周りに形成された筒状のボス部を有し、前記回転軸の回転によって流体を圧縮する可動スクロールと、前記回転軸が挿通された挿通孔を有し、当該挿通孔に前記回転軸を支持するための回転軸用軸受が設けられた軸支部材と、前記偏心軸が嵌挿された嵌挿孔を有するブッシュと、前記ボス部の内周面に外嵌されるとともに前記ブッシュの外周面に内嵌されたスクロール用軸受とを有し、前記可動側基板の中心軸線と前記偏心軸の中心軸線は異なっているスクロール型圧縮機であって、前記回転軸と一体回転するとともに前記回転軸の中心軸線を挟んで前記偏心軸と反対側に位置する主ウエイト部を有するバランサを備え、前記ブッシュは、前記スクロール用軸受の内周面に外嵌され、かつ前記嵌挿孔が軸線方向に形成された円筒部と、前記円筒部より径方向外側に配置された副ウエイト部と、を備え、前記嵌挿孔は、前記回転軸の回転に伴い前記可動スクロールに作用する遠心力により発生する前記偏心軸回りのモーメントと、前記回転軸の回転に伴い前記副ウエイト部に作用する遠心力により発生する前記偏心軸回りのモーメントが、それぞれ逆方向となる位置に設けられ、前記回転軸の軸線方向から見て、前記ブッシュの重心は、前記円筒部の中心と前記回転軸の中心を結んだ直線に対し、前記偏心軸の中心と同じ側に位置することを要旨とする。
【０００９】
これによれば、回転軸と一体のバランサの主ウエイト部により可動スクロールとの重量バランスを取ることができる。そして、バランサをブッシュと別体としたため、ブッシュと同時にバランサがスイングすることを無くし、バランサのスイングに伴う回転軸の振動を抑制できる。そして、可動スクロールに作用する遠心力により発生するモーメントと、副ウエイト部に作用する遠心力により発生するモーメントとが逆方向となるように、嵌挿孔の位置を調節した。この嵌挿孔の位置調節により、偏心軸回りのモーメントを相殺でき、回転軸を支持する回転軸用軸受に加わる荷重を低減できる結果、回転軸用軸受を小型化できる。
【００１０】
さらに、ブッシュの重心を、円筒部の中心と回転軸の中心とを結んだ直線に対し、偏心軸の中心と同じ側に位置させることで、副ウエイト部に作用する遠心力により発生する偏心軸回りのモーメントを大きくすることができる。その結果として、副ウエイト部を小型化させることができる。
【００１１】
また、スクロール型圧縮機について、前記回転軸の軸線方向から見て、前記副ウエイト部の重心は、前記円筒部の中心と前記回転軸の中心を結んだ直線に対し、前記偏心軸の中心と同じ側に位置するとよい。これにより、副ウエイト部に作用する遠心力により発生する偏心軸回りのモーメントをさらに大きくすることができ、結果として副ウエイト部を小型化させることができる。
【００１２】
また、スクロール型圧縮機について、前記回転軸の軸線方向から見て、前記副ウエイト部の全体は、前記円筒部の中心と前記回転軸の中心を結んだ直線に対し、前記偏心軸の中心と同じ側に位置するとよい。これにより、副ウエイト部に作用する遠心力により発生する偏心軸回りのモーメントをさらに大きくすることができ、結果として、副ウエイト部を小型化させることができる。
【００１３】
また、スクロール型圧縮機について、前記副ウエイト部は、前記円筒部の径方向に沿って当該円筒部の外周面から延びる肉薄部と、前記肉薄部よりも前記径方向外側に設けられ、かつ前記回転軸の軸線方向に沿う寸法が前記肉薄部よりも大きい肉厚部とを有し、前記回転軸の軸線方向から見て、前記肉厚部の全体が、前記円筒部の中心と前記回転軸の中心を結んだ前記直線に対し、前記偏心軸の中心と同じ側に位置していてもよい。
【００１４】
これによれば、ブッシュの製造公差や、ブッシュと回転軸との組付公差等によって、回転軸に対するブッシュの位置が多少変動しても、ブッシュの重心を、円筒部の中心と回転軸の中心を結んだ直線に対し、偏心軸の中心と同じ側に位置させることができる。また、これにより、副ウエイト部に作用する遠心力により発生する偏心軸回りのモーメントをさらに大きくすることができ、結果として、副ウエイト部を小型化させることができる。
【００１５】
上記問題点を解決するためのスクロール型圧縮機は、回転軸と、前記回転軸の先端に設けられた偏心軸と、固定側基板、及び、前記固定側基板から起立した固定側渦巻壁を有する固定スクロールと、円盤状であって前記固定側基板と対向する可動側基板、前記可動側基板から前記固定側基板に向けて起立し、かつ前記固定側渦巻壁と噛み合う可動側渦巻壁、及び前記可動側基板から前記回転軸に向けて起立するとともに前記可動側基板の中心軸線周りに形成された筒状のボス部を有し、前記回転軸の回転によって流体を圧縮する可動スクロールと、前記回転軸が挿通された挿通孔を有し、当該挿通孔に前記回転軸を支持するための回転軸用軸受が設けられた軸支部材と、前記偏心軸が嵌挿された嵌挿孔を有するブッシュと、前記ボス部の内周面に外嵌されるとともに前記ブッシュの外周面に内嵌されたスクロール用軸受とを有し、前記可動側基板の中心軸線と前記偏心軸の中心軸線は異なっているスクロール型圧縮機であって、前記回転軸と一体回転するとともに前記回転軸の中心軸線を挟んで前記偏心軸と反対側に位置する主ウエイト部を有するバランサを備え、前記ブッシュは、前記スクロール用軸受の内周面に外嵌され、かつ前記嵌挿孔が軸線方向に形成された円筒部と、前記円筒部より径方向外側に配置された副ウエイト部と、を備え、前記副ウエイト部は、前記円筒部の径方向に沿って当該円筒部の外周面から延びる肉薄部と、前記肉薄部よりも前記径方向外側に設けられ、かつ前記回転軸の軸線方向に沿う寸法が前記肉薄部よりも大きい肉厚部とを有し、前記回転軸の軸線方向から見て、前記肉厚部の全体が、前記偏心軸の中心と前記回転軸の中心を結んだ直線に対し、前記可動側基板の中心とは反対側に位置することを要旨としてもよい。
【００１６】
これによれば、回転軸と一体のバランサの主ウエイト部により可動スクロールとの重量バランスを取ることができる。そして、バランサをブッシュと別体としたため、ブッシュと同時にバランサがスイングすることを無くし、バランサのスイングに伴う回転軸の振動を抑制できる。そして、可動側基板の中心と可動スクロールの重心はほぼ同じであり、当該中心と反対側領域に肉厚部全体があれば、ブッシュの重心もその領域内にある。このため、回転軸の回転に伴い可動スクロールに作用する遠心力により発生する偏心軸回りのモーメントと、回転軸の回転に伴い副ウエイト部に作用する遠心力により発生する偏心軸回りのモーメントが、それぞれ逆方向となる。よって、偏心軸回りのモーメントを相殺でき、回転軸を支持する回転軸用軸受に加わる荷重を低減できる結果、回転軸用軸受を小型化できる。
【００１７】
また、スクロール型圧縮機について、前記肉厚部は、前記円筒部の径方向において少なくとも一部が前記ボス部の外周面と対向するように配置され、前記肉薄部は、前記回転軸の軸線方向における前記スクロール用軸受と前記回転軸との間に配置されていてもよい。
【００１８】
これによれば、ブッシュにおいて、その副ウエイト部の肉厚部をボス部の外周面より外側に配置しつつ、肉薄部の寸法を調節してスクロール用軸受と回転軸との間に配置している。よって、バランサが別体とされたブッシュにおいて、そのスイングを可能にしつつ回転軸用軸受に加わる荷重を低減させることを可能にしながら、その大型化が無く、結果としてスクロール型圧縮機の大型化もない。
【００１９】
また、スクロール型圧縮機について、前記可動側基板と前記軸支部材との間に前記可動スクロールを前記固定スクロールに向けて押し付けるための流体が導入される背圧室が形成され、前記背圧室に前記主ウエイト部及び前記副ウエイト部が配置されていてもよい。
【００２０】
これによれば、スクロール型圧縮機の既存の構成である背圧室内に主ウエイト部及び副ウエイト部を配置している。よって、主ウエイト部及び副ウエイト部を収容するための空間を、別に設ける必要がなく、主ウエイト部及び副ウエイト部の収容空間を設けるためにスクロール型圧縮機が大型化することがない。
【００２１】
また、スクロール型圧縮機について、前記可動スクロールは自転防止機構を備え、前記肉厚部は、前記回転軸の径方向において少なくとも一部が前記自転防止機構よりも内側に配置されていてもよい。
【００２２】
これによれば、ブッシュにおいて、その副ウエイト部の肉厚部を自転防止機構よりも内側に配置するため、スクロール型圧縮機の大型化もない。
【発明の効果】
【００２３】
本発明によれば、バランサのスイングに伴う回転軸の振動を抑制できるとともに、回転軸用軸受に加わる荷重を低減できる。
【図面の簡単な説明】
【００２４】
【図１】第１の実施形態のスクロール型圧縮機を示す平断面図。
【図２】回転軸と、バランサと、ブッシュとを示す分解斜視図。
【図３】回転軸と、バランサと、ブッシュとを示す図１の３−３線断面図。
【図４】第２の実施形態の回転軸と、バランサと、ブッシュとを示す断面図。
【図５】スクロール型圧縮機の別例を示す平断面図。
【発明を実施するための形態】
【００２５】
（第１の実施形態）
以下、スクロール型圧縮機を具体化した第１の実施形態を図１〜図３にしたがって説明する。
【００２６】
図１に示すように、スクロール型圧縮機１０は、流体が吸入される吸入口１１ａ及び流体が吐出される吐出口１１ｂが形成されたハウジング１１を備えている。ハウジング１１は、全体として略円筒形状である。ハウジング１１は、有底円筒形状のモータハウジング１２及びコンプレッサハウジング１３を有している。モータハウジング１２とコンプレッサハウジング１３とは、互いに開口端同士が突き合わさった状態で組み付けられている。吸入口１１ａは、モータハウジング１２の側壁部１２ａ、詳細には当該側壁部１２ａのうちモータハウジング１２の底部１２ｂ側の位置に設けられている。吐出口１１ｂは、コンプレッサハウジング１３の底部１３ａに設けられている。
【００２７】
スクロール型圧縮機１０は、回転軸１４と、吸入口１１ａから吸入された吸入流体を圧縮して吐出口１１ｂから吐出する圧縮部１５と、圧縮部１５を駆動する電動モータ１６とを備えている。回転軸１４、圧縮部１５及び電動モータ１６は、ハウジング１１内に収容されている。電動モータ１６は、ハウジング１１内において吸入口１１ａ側に配置されており、圧縮部１５は、ハウジング１１内において吐出口１１ｂ側に配置されている。
【００２８】
回転軸１４は、回転可能な状態でハウジング１１内に収容されている。詳細には、ハウジング１１内には、回転軸１４を軸支する筒状の軸支部材２１が設けられている。軸支部材２１は、例えば圧縮部１５と電動モータ１６との間の位置にてハウジング１１に固定されている。軸支部材２１により、ハウジング１１内にモータ収容室Ｓが区画されている。
【００２９】
軸支部材２１には、回転軸１４が挿通可能なものであって、回転軸用軸受としての第１軸受２２が設けられた挿通孔２３が形成されている。また、軸支部材２１とモータハウジング１２の底部１２ｂとは対向しており、当該底部１２ｂには円筒状の軸受筒部２４が突出している。軸受筒部２４の内側には第２軸受２５が設けられている。回転軸１４は、第１軸受２２及び第２軸受２５によって回転可能な状態で支持されている。
【００３０】
圧縮部１５は、ハウジング１１に固定された固定スクロール３１と、固定スクロール３１に対して公転運動が可能であり、流体を圧縮する可動スクロール３２とを備えている。固定スクロール３１は、回転軸１４と同一軸線上に設けられた円盤状の固定側基板３１ａと、固定側基板３１ａから起立した固定側渦巻壁３１ｂとを有する。同様に、可動スクロール３２は、円盤状であって固定側基板３１ａと対向する可動側基板３２ａと、可動側基板３２ａから固定側基板３１ａに向けて起立した可動側渦巻壁３２ｂとを備えている。また、可動スクロール３２は、可動側基板３２ａから軸支部材２１に向けて筒状に起立したボス部３２ｃを備えている。ボス部３２ｃは、軸支部材２１の挿通孔２３内に入り込んでいる。ボス部３２ｃの内側にはスクロール用軸受１７が設けられている。ボス部３２ｃは、可動側基板３２ａの中心軸線Ｎ周りに形成されており、ボス部３２ｃと可動側基板３２ａは中心軸線Ｎを共有する。
【００３１】
固定スクロール３１と可動スクロール３２とは互いに噛み合っている。詳細には、固定側渦巻壁３１ｂと可動側渦巻壁３２ｂとは互いに噛み合っており、固定側渦巻壁３１ｂの先端面は可動側基板３２ａに接触しているとともに、可動側渦巻壁３２ｂの先端面は固定側基板３１ａに接触している。そして、固定スクロール３１と可動スクロール３２とによって、流体を圧縮する圧縮室３３が区画されている。
【００３２】
軸支部材２１には、吸入流体を圧縮室３３に吸入する吸入通路３４が形成されている。また、軸支部材２１の端面は、その内側空間にボス部３２ｃが入り込んだ状態で可動側基板３２ａによって閉塞され、閉塞された空間に背圧室２６が区画されている。この背圧室２６には、高圧の制御ガスが導入され、この制御ガスにより、回転軸１４の中心軸線Ｌの延びる方向に沿って可動スクロール３２を固定スクロール３１に押し付けるようになっている。なお、以下の説明において回転軸１４の中心軸線Ｌの延びる方向を軸線方向と記載する。
【００３３】
また、可動スクロール３２は、回転軸１４の回転に伴って公転運動するように構成されている。回転軸１４の一部は、軸支部材２１の挿通孔２３内において、圧縮部１５に向けて突出している。そして、回転軸１４における圧縮部１５側の先端のうち回転軸１４の中心軸線Ｌに対して偏心した位置には、偏心軸３５が設けられている。偏心軸３５の中心軸線Ｍは、回転軸１４の中心軸線Ｌから径方向にずれているとともに、可動側基板３２ａの中心軸線Ｎとは異なったものである。偏心軸３５にはブッシュ３６及びスクロール用軸受１７を介して可動スクロール３２が回転可能に支持されている。
【００３４】
スクロール型圧縮機１０は、可動スクロール３２の公転運動を許容する一方、圧縮力が作用することによる可動スクロール３２の自転を規制する自転防止機構２８を備えている。なお、自転防止機構２８は、複数設けられている。回転軸１４が予め定められた正方向（時計回り）に回転すると、可動スクロール３２が正方向に旋回する公転運動が行われる。可動スクロール３２は、回転軸１４の中心軸線Ｌの周りで時計回りに公転する。これにより、圧縮室３３の容積が減少するため、吸入通路３４を介して圧縮室３３に吸入された吸入流体が圧縮される。圧縮された流体は、固定側基板３１ａに設けられた吐出ポート３０ａから吐出され、その後、吐出口１１ｂから吐出される。固定側基板３１ａには、吐出ポート３０ａを覆う吐出弁３０ｂが設けられている。圧縮室３３にて圧縮された流体は、可動スクロール３２に圧縮力を与えつつ吐出弁３０ｂを押し退けて吐出ポート３０ａから吐出される。
【００３５】
電動モータ１６は、回転軸１４を回転させることにより、可動スクロール３２を公転運動させるものである。電動モータ１６は、回転軸１４と一体的に回転するロータ５１と、ロータ５１を取り囲むステータ５２とを備えている。ロータ５１は、回転軸１４に連結されている。ロータ５１には永久磁石（図示略）が設けられている。ステータ５２は、ハウジング１１（詳細にはモータハウジング１２）の内周面に固定されている。ステータ５２は、筒状のロータ５１に対して径方向に対向するステータコア５３と、ステータコア５３に捲回されたコイル５４とを有している。コイル５４は、回転軸１４の軸線方向に沿ってステータコア５３の両端面から突出するコイルエンド５４ａを有する。
【００３６】
スクロール型圧縮機１０は、電動モータ１６を駆動させる駆動回路としてのインバータ５５を備えている。インバータ５５は、ハウジング１１、詳細にはモータハウジング１２の底部１２ｂに取り付けられた円筒形状のカバー部材５６内に収容されている。インバータ５５とコイル５４とは電気的に接続されている。
【００３７】
次に、可動スクロール３２の公転運動の重量バランスを取る機構について説明する。
偏心軸３５は、ブッシュ３６に形成された嵌挿孔３６ａに嵌挿されている。ブッシュ３６は、嵌挿孔３６ａが軸線方向に貫通形成された円筒部３７と、円筒部３７より径方向外側に配置された副ウエイト部４３を備え、副ウエイト部４３は、円筒部３７の外周面から延びる肉薄部３９と、回転軸１４の軸線方向に沿った厚さが肉薄部３９より大きい肉厚部３８を備える。
【００３８】
円筒部３７の内周面は、偏心軸３５の外周面に内嵌されるとともに、円筒部３７の外周面はスクロール用軸受１７の内周面に外嵌されている。ブッシュ３６は、スクロール用軸受１７によって回転可能に支持されている。なお、円筒部３７の中心（中心軸線）は、可動側基板３２ａを、回転軸１４の軸線方向に見た場合の可動側基板３２ａの中心と一致するとともに、可動スクロール３２を、回転軸１４の軸線方向に見た場合の重心と一致する。このため、円筒部３７の中心軸線を「中心軸線Ｎ」と記載する。そして、回転軸１４の軸線方向から見て、円筒部３７の中心は中心軸線Ｎ上に位置する。
【００３９】
図３に示すように、ブッシュ３６の嵌挿孔３６ａには、偏心軸３５が嵌挿されているため、嵌挿孔３６ａの中心軸線は、偏心軸３５の中心軸線Ｍと一致する。よって、嵌挿孔３６ａの中心軸線を「中心軸線Ｍ」と記載する。そして、回転軸１４の軸線方向から見て、嵌挿孔３６ａの中心は中心軸線Ｍ上に位置する。嵌挿孔３６ａの中心軸線Ｍは、円筒部３７の中心軸線Ｎよりも径方向の外寄りに位置する。詳細には、嵌挿孔３６ａの中心軸線Ｍは、円筒部３７の中心軸線Ｎよりも副ウエイト部４３寄りであり、かつ径方向に沿って中心軸線Ｎよりも後述のバランサ４０から離れた位置にある。可動スクロール３２の公転運動によってブッシュ３６に荷重が加わったとき、円筒部３７の中心軸線Ｎよりも荷重が加わる方向の先に偏心軸３５があり、偏心軸３５がブッシュ３６を引っ張るように作用する。
【００４０】
そして、円筒部３７の中心軸線Ｎ、つまり円筒部３７の中心は、嵌挿孔３６ａ及び偏心軸３５の中心軸線Ｍ、つまり嵌挿孔３６ａ及び偏心軸３５の中心に対し、径方向へオフセットした位置にある。そして、回転軸１４の軸線方向から見て、嵌挿孔３６ａ及び偏心軸３５の中心（中心軸線Ｍ）は、回転軸１４の中心（中心軸線Ｌ）と円筒部３７の中心（中心軸線Ｎ）とを結んだ直線Ｔよりも副ウエイト部４３側に位置している。
【００４１】
図１又は図２に示すように、副ウエイト部４３の肉薄部３９は、円筒部３７の外周面のうち、スクロール用軸受１７よりも回転軸１４に向けて突出した部分から径方向に沿って突出している。肉薄部３９は薄板状であり、回転軸１４の軸線方向においてスクロール用軸受１７よりも回転軸１４寄りに配置されている。肉薄部３９は、回転軸１４の軸線方向に厚さ方向が延びる状態で配置され、スクロール用軸受１７と回転軸１４との間に配置されている。
【００４２】
肉薄部３９における円筒部３７からの突出方向の先端は、スクロール用軸受１７の外輪の外周面を軸支部材２１の内周面側へ越えた位置にある。そして、肉薄部３９の先端に肉厚部３８が設けられている。肉厚部３８は、ボス部３２ｃの外周面より径方向外側で背圧室２６に配置され、ボス部３２ｃの外周面と、軸支部材２１の内周面との間に配置されている。このため、肉厚部３８は、円筒部３７の径方向において一部がボス部３２ｃの外周面と対向するように配置されている。また、肉厚部３８の一部は、回転軸１４の径方向において自転防止機構２８よりも内側に配置されている。
【００４３】
回転軸１４の軸線方向に沿った肉厚部３８の寸法は、同じく回転軸１４の軸線方向に沿った肉薄部３９の寸法より大きい。言い換えると、回転軸１４の軸線方向に沿った肉薄部３９の寸法は、同じく回転軸１４の軸線方向に沿った肉厚部３８の寸法より小さい。つまり、肉薄部３９は、回転軸１４の軸線方向におけるスクロール用軸受１７と回転軸１４との間に配置されるとともに、肉厚部３８よりも回転軸１４の軸線方向において肉薄である。
【００４４】
ブロック状の肉厚部３８は、肉薄部３９よりも可動スクロール３２側に突出した第１部３８ａと、肉薄部３９よりも回転軸１４側へ突出した第２部３８ｂとからなる。回転軸１４の径方向に沿った第１部３８ａの寸法は、回転軸１４の径方向に沿った第２部３８ｂの寸法より小さい。回転軸１４の径方向に沿った第２部３８ｂの寸法は、回転軸１４の軸線方向に一定である。第２部３８ｂは、回転軸１４における圧縮部１５側の端面よりも電動モータ１６側に位置しており、回転軸１４の一部と径方向に重合している。
【００４５】
図３に示すように、ブッシュ３６を回転軸１４の軸線方向に見て、ブッシュ３６の重心Ｚは、副ウエイト部４３の肉薄部３９上に存在し、円筒部３７の中心軸線Ｎよりも肉厚部３８寄りに存在している。ここで、回転軸１４の径方向に沿う断面上を通過する仮想平面として、ブッシュ３６の重心Ｚ及び副ウエイト部４３の重心Ｘが存在する平面を想定する。ブッシュ３６を回転軸１４の軸線方向に見た場合、ブッシュ３６の重心Ｚ及び副ウエイト部４３の重心Ｘは、仮想平面を上記直線Ｔを境にして分けた場合、直線Ｔに対し、偏心軸３５の中心（中心軸線Ｍ）と同じ側に位置する。また、回転軸１４の軸線方向から見て、肉厚部３８の全体が、直線Ｔに対し、偏心軸３５の中心（中心軸線Ｍ）と同じ側に位置する。
【００４６】
また、偏心軸３５の中心（中心軸線Ｍ）と回転軸１４の中心（中心軸線Ｌ）を結んだ直線Ｌｂを想定する。回転軸１４の軸線方向から見て、肉厚部３８の全体が、直線Ｌｂに対し、可動側基板３２ａの中心、つまり、円筒部３７の中心（中心軸線Ｎ）とは反対側に位置する。可動側基板３２ａの中心は、可動スクロール３２の重心と一致している。このため、直線Ｌｂに対し、可動側基板３２ａの中心（円筒部３７の中心）、ひいては可動側基板３２ａの重心とは反対側の領域に、肉厚部３８の全体が位置し、ブッシュ３６の重心Ｚも位置している。
【００４７】
上記構成のブッシュ３６は、スクロール型圧縮機１０の起動時や、可動スクロール３２の速度変化等の条件変化が発生したとき、スイングする。ブッシュ３６のスイングにより、可動スクロール３２の公転半径が可変とされ、固定側渦巻壁３１ｂと可動側渦巻壁３２ｂの接触圧が適切に保たれる。なお、後述する凹部４１ａと第２部３８ｂとの当接により、ブッシュ３６のスイング範囲が規制されている。
【００４８】
回転軸１４にはバランサ４０が一体に固定されている。バランサ４０は、回転軸１４の軸線方向に見て半円状をなす主ウエイト部としてのバランサ本体４１と、バランサ本体４１とともにバランサ４０を回転軸１４に固定するための半円環状をなす保持部４２とを有する。バランサ本体４１には、可動スクロール３２側の端面の一部を凹ませた凹部４１ａが形成されている。バランサ本体４１の凹部４１ａには、ブッシュ３６の肉厚部３８のうち、第２部３８ｂが入り込んでいる。ブッシュ３６が備える肉厚部３８は、バランサ４０よりも体積が小さく、重量も小さい。そして、凹部４１ａで肉厚部３８のスイングが許容されるようになっている。
【００４９】
バランサ４０を回転軸１４の軸線方向に見た場合、バランサ４０の重心Ｖは、回転軸１４の中心（中心軸線Ｌ）を挟んで、円筒部３７の中心（中心軸線Ｎ）の反対側に存在している。円筒部３７の中心軸線Ｎは、可動スクロール３２の重心と一致するため、バランサ４０の重心Ｖは、回転軸１４の中心軸線Ｌを挟んで可動スクロール３２の重心の反対側に存在している。また、バランサ本体４１は、回転軸１４の中心軸線Ｌを挟んで偏心軸３５と反対側に位置する。
【００５０】
可動スクロール３２の公転運動時、可動スクロール３２は、バランサ本体４１とは反対側に遠心力Ｆａを受ける。同時に、バランサ本体４１は、可動スクロール３２とは反対側に遠心力Ｆｃを受ける。よって、可動スクロール３２の公転運動時は、可動スクロール３２に作用する遠心力Ｆａが、バランサ本体４１に作用する遠心力Ｆｃによって相殺され、可動スクロール３２との重量バランスが取られるようになっている。
【００５１】
図３において、回転軸１４は時計回りに回転し、それに伴いバランサ本体４１も時計回りに回転する。凹部４１ａと第２部３８ｂとの当接により、副ウエイト部４３はバランサ本体４１と一体に時計回りに回転する。一方で、可動スクロール３２が時計回りに公転することで、偏心軸３５回りには可動スクロール３２に作用する遠心力ＦａによるモーメントＭａが発生する。このモーメントＭａの向きは、可動スクロール３２の公転の向き、ひいては回転軸１４の回転の向きと同じである。よって、円筒部３７には、偏心軸３５回りに時計回りのモーメントＭａが作用する。
【００５２】
一方で、回転軸１４の回転により、偏心軸３５回りには副ウエイト部４３が遠心力Ｆｂを受け、モーメントＭｂが発生する。このモーメントＭｂの向きは、回転軸１４の回転方向と逆向きであり、反時計回りである。ここで、回転軸１４の軸線方向から見て、副ウエイト部４３の重心Ｚを含め、副ウエイト部４３の全体が直線Ｔに対し、偏心軸３５の中心と同じ側に位置している。このため、副ウエイト部４３に作用する遠心力Ｆｂにより発生する偏心軸３５回りのモーメントＭｂをより大きくできる。よって、可動スクロール３２の公転運動により偏心軸３５回りに発生する時計回りのモーメントＭａ、すなわち、可動スクロール３２に作用する遠心力ＦａによるモーメントＭａは、副ウエイト部４３に作用する遠心力Ｆｂにより偏心軸３５回りに発生する反時計回りのモーメントＭｂと相殺され、結果として回転軸１４の振動が低減される。そして、ブッシュ３６の嵌挿孔３６ａは、可動スクロール３２に作用する遠心力ＦａによるモーメントＭａと、副ウエイト部４３に作用する遠心力ＦｂによるモーメントＭｂとが逆方向となる位置に形成されている。
【００５３】
なお、回転軸１４の軸線方向から見て、ブッシュ３６の肉厚部３８の全体が、直線Ｌｂに対し、可動側基板３２ａの中心（中心軸線Ｎ）とは反対側に位置している。これにより、ブッシュ３６の重心Ｚも、直線Ｌｂに対し、可動側基板３２ａの中心、ひいては可動スクロール３２の重心とは反対側に位置している。つまり、可動スクロール３２の重心とブッシュ３６の重心Ｚが、回転軸１４の軸線方向から見て、直線Ｌｂに対し、それぞれ反対側に位置している。
【００５４】
可動スクロール３２に作用する遠心力Ｆａのベクトルは、回転軸１４の中心（中心軸線Ｌ）と可動側基板３２ａの重心に概ね等しい中心（中心軸線Ｎ）を結ぶ直線上に概ね位置する。副ウエイト部４３に作用する遠心力Ｆｂのベクトルは、回転軸１４の中心（中心軸線Ｎ）とブッシュ３６の重心Ｚを結ぶ直線上に沿っている。可動側基板３２ａの重心（中心軸線Ｎ）と、ブッシュ３６の重心Ｚは、直線Ｌｂに対し、それぞれ反対側に位置しており、これらに作用する遠心力が生む偏心軸３５の中心（中心軸線Ｍ）回りのモーメントＭａとモーメントＭｂはそれぞれ逆方向となる。
【００５５】
副ウエイト部４３の肉厚部３８とスクロール用軸受１７との干渉を回避するため、肉薄部３９の先端をボス部３２ｃの外周面を越えた位置まで延設する必要があり、回転軸１４の径方向に沿った肉薄部３９の長さは決まる。この肉薄部３９の長さと肉厚部３８の重量とで決まるモーメントが、可動スクロール３２の公転運動によるモーメントを相殺できる大きさとなるように副ウエイト部４３の重量を設定する。そして、副ウエイト部４３の重量の調節は、回転軸１４の軸線方向に沿う肉厚部３８の寸法を調節することで行われる。
【００５６】
次に、スクロール型圧縮機１０の作用について説明する。
電動モータ１６への電力供給によって回転軸１４が回転されると、ブッシュ３６が回転軸１４の回りを公転運動するとともに、可動スクロール３２が公転運動する。また、バランサ４０が回転軸１４と一体回転する。すると、可動スクロール３２に作用する遠心力Ｆａが、バランサ本体４１に作用する遠心力Ｆｃによって相殺される。
【００５７】
また、可動スクロール３２の公転運動時、速度変化等の条件変化時には、ブッシュ３６がスイングし、可動スクロール３２の公転半径を調整する。
上記第１の実施形態によれば、以下のような効果を得ることができる。
【００５８】
（１−１）回転軸１４にバランサ４０を一体に設け、バランサ４０のバランサ本体４１によって可動スクロール３２との重量バランスを取るようにした。そして、バランサ４０をブッシュ３６と別体としたため、ブッシュ３６と同時にバランサ４０がスイングすることを無くし、バランサ４０のスイングに伴う回転軸１４の振動を抑制できる。
【００５９】
そして、ブッシュ３６の重心Ｚを直線Ｔに対し、偏心軸３５の中心（中心軸線Ｍ）と同じ側に位置させ、直線Ｔに対して副ウエイト部４３側にてブッシュ３６に遠心力Ｆｂが作用するようにした。また、ブッシュ３６に副ウエイト部４３を設けるとともに、ブッシュ３６の嵌挿孔３６ａの位置を、可動スクロール３２に作用する遠心力ＦａによるモーメントＭａと、副ウエイト部４３に作用する遠心力ＦｂによるモーメントＭｂとが逆方向となる位置に設けた。これにより、偏心軸３５回りにモーメントが生じても相殺でき、回転軸１４を支持する第１軸受２２に加わる荷重を低減でき、第１軸受２２を小型化できる。さらに、ブッシュ３６の重心Ｚを直線Ｔに対し、偏心軸３５の中心（中心軸線Ｍ）と同じ側に位置させることで、副ウエイト部４３に作用する遠心力Ｆｂにより発生する偏心軸３５回りのモーメントＭｂを大きくすることができる。その結果として、副ウエイト部４３を小型化させることができる。
【００６０】
（１−２）バランサ４０を回転軸１４と一体回転するようにした。バランサ４０のスイングを無くすことができるため、バランサ４０のスイングを加味して重量を小さくする必要がなくなり、可動スクロール３２との重量バランスが取りやすくなる。
【００６１】
（１−３）可動スクロール３２との重量バランスを取るためのバランサ本体４１を背圧室２６内に配置している。背圧室２６は、スクロール型圧縮機１０が備える既存の空間であるため、軸支部材２１を大型化することなく、ひいてはスクロール型圧縮機１０を大型化することがない。
【００６２】
（１−４）ブッシュ３６の副ウエイト部４３を背圧室２６内に配置し、背圧室２６内には、バランサ４０及び副ウエイト部４３が配置されている。背圧室２６は、スクロール型圧縮機１０が備える既存の空間であるため、バランサ４０及び副ウエイト部４３を収容するための空間を新たに設ける必要がなく、バランサ４０及び副ウエイト部４３の収容空間を設ける事に伴うスクロール型圧縮機１０の大型化がない。
【００６３】
（１−５）ブッシュ３６において、肉薄部３９は肉厚部３８よりも肉薄であり、肉厚部３８はブロック状である。そして、肉薄部３９及び肉厚部３８は、バランサ４０よりも体積が小さく、重量も小さい。よって、ブッシュ３６の円筒部３７にバランサ４０を一体に設ける場合と比べると、副ウエイト部４３がスイングすることによる重量バランスの変動を小さくでき、回転軸１４の振動を抑制できる。
【００６４】
（１−６）バランサ４０に凹部４１ａを設けたため、副ウエイト部４３を、回転軸１４の軸線方向に延長でき、副ウエイト部４３の重量の調節が行いやすい。
（１−７）ブッシュ３６の副ウエイト部４３は、肉厚部３８と肉薄部３９とを有し、その副ウエイト部４３は直線Ｔに対し偏心軸３５の中心（中心軸線Ｍ）と同じ側に位置している。ブッシュ３６を回転軸１４に組付けたとき、ブッシュ３６の製造公差や組付公差によって、ブッシュ３６の位置が多少変動しても、ブッシュ３６の重心Ｚを、直線Ｔに対し、偏心軸３５の中心と同じ側に位置させることができる。
【００６５】
（１−８）回転軸１４の軸線方向から見て、副ウエイト部４３の重心Ｘを含め、副ウエイト部４３の全体が直線Ｔに対し、偏心軸３５の中心と同じ側に位置している。このため、副ウエイト部４３に作用する遠心力Ｆｂにより発生する偏心軸３５回りのモーメントＭｂをより大きくでき、その結果として、副ウエイト部４３を小型化できる。
【００６６】
（１−９）ブッシュ３６の副ウエイト部４３は、肉厚部３８と肉薄部３９とを有し、肉厚部３８は、回転軸１４の径方向において自転防止機構２８よりも内側に配置されているため、スクロール型圧縮機１０の大型化もない。
【００６７】
（１−１０）回転軸１４の軸線方向から見て、ブッシュ３６の肉厚部３８全体が、直線Ｌｂに対し、可動側基板３２ａの中心（中心軸線Ｎ）とは反対側に位置している。これにより、ブッシュ３６の重心Ｚも、直線Ｌｂに対し、可動側基板３２ａの中心、ひいては可動スクロール３２の重心とは反対側に位置している。可動スクロール３２に作用する遠心力Ｆａのベクトルは、回転軸１４の中心（中心軸線Ｌ）と可動側基板３２ａの重心に概ね等しい中心（中心軸線Ｎ）を結ぶ直線上に概ね位置する。副ウエイト部４３に作用する遠心力Ｆｂのベクトルは、回転軸１４の中心（中心軸線Ｎ）とブッシュ３６の重心Ｚを結ぶ直線上に沿っている。可動側基板３２ａの重心（中心軸線Ｎ）と、ブッシュ３６の重心Ｚは、直線Ｌｂに対し、それぞれ反対側に位置しており、これらに作用する遠心力が生む偏心軸３５の中心（中心軸線Ｍ）回りのモーメントＭａとモーメントＭｂはそれぞれ逆方向となる。その結果として、副ウエイト部４３を小型化させることができる。
【００６８】
（第２の実施形態）
次に、スクロール型圧縮機を具体化した第２の実施形態を図４にしたがって説明する。なお、第２の実施形態は、第１の実施形態と同様又は重複する部分についてはその詳細な説明を省略する。
【００６９】
図４に示すように、嵌挿孔３６ａ及び偏心軸３５の中心（中心軸線Ｍ）は、円筒部３７の中心（中心軸線Ｎ）よりも径方向の外寄りに位置する。詳細には、回転軸１４の軸線方向から見て、嵌挿孔３６ａの中心は、円筒部３７の中心よりも副ウエイト部４３寄りであり、かつ径方向に沿って中心軸線Ｎよりもバランサ４０に近づいた位置にある。そして、円筒部３７の中心は、嵌挿孔３６ａの中心に対し、径方向へオフセットした位置にある。そして、嵌挿孔３６ａの中心は、回転軸１４の中心と円筒部３７の中心とを結んだ直線Ｔよりも副ウエイト部４３側に位置している。
【００７０】
円筒部３７の中心（中心軸線Ｎ）と偏心軸３５の中心（中心軸線Ｍ）とを結ぶ線分Ｌａの長さは、第１の実施形態における円筒部３７の中心（中心軸線Ｎ）と偏心軸３５の中心（中心軸線Ｍ）とを結ぶ線分よりも長い。このため、嵌挿孔３６ａ及び偏心軸３５は、第１の実施形態と比較して回転軸１４の端面上において、中心軸線Ｌ寄りに位置している。可動スクロール３２の公転運動によってブッシュ３６に荷重が加わったとき、偏心軸３５は円筒部３７を押すように作用する。また、ブッシュ３６を回転軸１４の軸線方向に見た場合、ブッシュ３６の重心Ｚは、仮想平面を上記直線Ｔを境にして分けた場合、直線Ｔよりも偏心軸３５の中心（中心軸線Ｍ）と同じ側に位置する。
【００７１】
上記構成において、可動スクロール３２の公転運動時、回転軸１４の回転に伴って可動スクロール３２に作用する遠心力Ｆａを受け、偏心軸３５の回りにはモーメントＭａが発生する。このモーメントＭａは、回転軸１４の回転方向と逆向きである。同時に、可動スクロール３２の公転運動時、回転軸１４の回転に伴って副ウエイト部４３に作用する遠心力Ｆｂを受け、偏心軸３５の回りにはモーメントＭｂが発生する。このモーメントＭｂは、回転軸１４の回転方向と同じ向きである。よって、可動スクロール３２に作用する遠心力ＦａによるモーメントＭａと、副ウエイト部４３に作用する遠心力ＦｂによるモーメントＭｂとは逆向きである。そして、ブッシュ３６の嵌挿孔３６ａは、可動スクロール３２に作用する遠心力ＦａによるモーメントＭａと、副ウエイト部４３に作用する遠心力ＦｂによるモーメントＭｂとが逆方向となる位置に形成されている。具体的には、回転軸１４の軸線方向から見て、ブッシュ３６の肉厚部３８の全体が、偏心軸３５の中心（中心軸線Ｍ）と回転軸１４の中心（中心軸線Ｌ）を結んだ直線Ｌｂに対し、可動側基板３２ａの中心（中心軸線Ｎ）とは反対側に位置している。つまり、可動スクロール３２の重心とブッシュ３６の重心Ｚが、回転軸１４の軸線方向から見て、直線Ｌｂに対し、それぞれ反対側に位置している。すると、２つのモーメントＭａとモーメントＭｂとが相殺される。
【００７２】
上記第２の実施形態によれば、第１の実施形態の（１−１）〜（１−１０）に記載と同様な効果に加え、以下の効果を得ることができる。
（２−１）円筒部３７の中心（中心軸線Ｎ）と偏心軸３５の中心（中心軸線Ｍ）とを結ぶ線分Ｌａは、第１の実施形態と比較して長い。このため、ブッシュ３６がスイングしたときの角度が小さくても可動スクロール３２の旋回半径を調整できる。
【００７３】
各実施形態は、以下のように変更して実施することができる。本実施形態及び以下の変更例は、技術的に矛盾しない範囲で互いに組み合わせて実施することができる。
○  各実施形態において、ブッシュ３６を回転軸１４の軸線方向に見た場合、ブッシュ３６の重心Ｚが直線Ｔよりも偏心軸３５の中心（中心軸線Ｍ）と同じ側に位置していれば、回転軸１４の軸線方向に沿った肉薄部３９の寸法や、回転軸１４の径方向に沿った肉薄部３９の寸法は変更してもよい。また、副ウエイト部４３において、回転軸１４の軸線方向に沿った寸法を一定とし、副ウエイト部４３を肉厚部３８及び肉薄部３９の区画のない構成としてもよい。
【００７４】
○  図５に示すように、第２の実施形態において、バランサ４０は、モータ収容室Ｓにおける回転軸１４の軸線方向に沿った電動モータ１６と軸支部材２１との間の空間に配設され、背圧室２６内に存在しなくてもよい。バランサ４０は、保持部４２によって回転軸１４に一体化されている。
【００７５】
このように構成した場合、背圧室２６にバランサ４０を配置した場合と比べると、バランサ４０を無くした分だけ回転軸１４の軸線方向に沿って背圧室２６を縮小し、第１軸受２２を可動スクロール３２に近付けることができる。その結果、回転軸１４の軸線方向に沿った第１軸受２２と第２軸受２５との距離を長くでき、第１軸受２２とスクロール用軸受１７との距離を短くできる。その結果、可動スクロール３２に作用する圧縮力や遠心力に伴う第１軸受２２及び第２軸受２５に加わる荷重を減らすことができる。
【００７６】
なお、第１の実施形態において、バランサ４０のバランサ本体４１は、背圧室２６より外、例えばモータ収容室Ｓに配置されていてもよい。
○  各実施形態において、バランサ４０と回転軸１４とを別部材とし、保持部４２によってバランサ４０を回転軸１４に保持させて、バランサ４０と回転軸１４を一体化したが、回転軸１４とバランサ本体４１とを一つの部材として一体形成してもよい。
【００７７】
○  各実施形態において、円筒部３７の径方向において肉厚部３８の全体がボス部３２ｃの外周面と対向するように配置されていてもよい。つまり、肉厚部３８は第１部３８ａのみを備える構成であってもよい。
【００７８】
○  各実施形態において、回転軸１４の径方向において肉厚部３８の全体が自転防止機構２８よりも内側に配置されていてもよい。つまり、肉厚部３８は第１部３８ａのみを備える構成であってもよい。
【００７９】
○  各実施形態において、肉厚部３８は、第１部３８ａと第２部３８ｂに分けて構成されず、回転軸１４の軸線方向に沿う寸法が肉厚部３８全体で同じであってもよい。
○  各実施形態のブッシュ３６において、嵌挿孔３６ａは円筒部３７を貫通していなくてもよい。
【００８０】
○  各実施形態において、スクロール型圧縮機１０は背圧室２６を備えないタイプであってもよい。
○  各実施形態において、可動スクロール３２の重心とブッシュ３６の重心Ｚが、回転軸１４の軸線方向から見て、偏心軸３５の中心と回転軸１４の中心とを結んだ直線に対し、それぞれ反対側に位置していてもよい。
【符号の説明】
【００８１】
Ｌ…回転軸の中心軸線、Ｎ…可動側基板及び円筒部の中心軸線（可動スクロールの重心）、Ｍ…偏心軸の中心軸線、Ｔ…直線、Ｖ…バランサの重心、Ｘ…副ウエイト部の重心、Ｚ…ブッシュの重心、１０…スクロール型圧縮機、１４…回転軸、１７…スクロール用軸受、２１…軸支部材、２２…回転軸用軸受としての第１軸受、２３…挿通孔、２６…背圧室、２８…自転防止機構、３１…固定スクロール、３１ａ…固定側基板、３１ｂ…固定側渦巻壁、３２…可動スクロール、３２ａ…可動側基板、３２ｂ…可動側渦巻壁、３２ｃ…ボス部、３５…偏心軸、３６…ブッシュ、３６ａ…嵌挿孔、３７…円筒部、３８…肉厚部、３９…肉薄部、４０…バランサ、４１…主ウエイト部としてのバランサ本体、４３…副ウエイト部。
【図１】
2019183832.tif 000003
【図２】
2019183832.tif 000004
【図３】
2019183832.tif 000005
【図４】
2019183832.tif 000006
【図５】
2019183832.tif 000007